(57)【要約】【課題】様々な特徴のあるハンドストラップをユーザが区別することなく、容易に着脱可能で、かつ、より強固に保持することが可能なハンドストラップ取り付け構造を提供する。【解決手段】フロント筐体２と、リア筐体３と、バッテリーカバー４とによって本体装置の筐体が構成される携帯端末装置１において、リア筐体３の下方部にハンドストラップ取り付け部６を設ける。ハンドストラップ取り付け部６は、リア筐体３の外周域に接する位置に、ハンドストラップ５の輪状の細紐５−１を収容可能なＵ字溝６−１を形成してなる。なお、Ｕ字溝６−１の開口部がリア筐体３の側壁部と接する位置には、Ｕ字溝６−１の溝の深さに応じた２箇所の穴が形成される。また、バッテリカバー４には、バッテリカバー４を装着した状態においてリア筐体３に設けられたＵ字溝６−１に入り込む位置に、細紐押さえリブ４−４を設ける。【選択図】図５
2008028913.tif 000002
【特許請求の範囲】
【請求項１】
携帯機器にストラップを取り付けるためのストラップ取付構造であって、
前記携帯機器の筐体に着脱可能に取り付けられるカバー部材を備え、
前記携帯機器の筐体に、当該筐体の少なくとも一端部を含むように、前記カバー部材を取り付けるためのカバー取付部が形成され、
前記カバー取付部は、前記ストラップに設けられた紐材を嵌め込むための所定の溝部が形成され、
前記溝部は、前記カバー取付部のうち前記筐体の端部を含む部分を起点として、前記筐体の端部を含む前記起点とは異なる他の部分を終点として、前記起点から前記終点に至るように形成され、
前記カバー部材は、前記ストラップに設けられた紐材を前記溝部にはめ込んだ状態で、前記カバー取付部に取り付けられている
ことを特徴とする携帯機器のストラップ取付構造。
【請求項２】
筐体に着脱可能に取り付けられるカバー部材と、
筐体の少なくとも一端部を含むように、前記カバー部材を取り付けるためのカバー取付部とを備えた携帯機器であって、
前記カバー取付部は、ストラップに設けられた紐材を嵌め込むための所定の溝部が形成され、
前記溝部は、前記カバー取付部のうち前記筐体の端部を含む部分を起点として、前記筐体の端部を含む前記起点とは異なる他の部分を終点として、前記起点から前記終点に至るように形成され、
前記カバー部材は、前記ストラップに設けられた紐材を前記溝部にはめ込んだ状態で、前記カバー取付部に取り付けられている
ことを特徴とする携帯機器。
【請求項３】
カバー部材は、筐体に取り付けられた状態で、カバー取付部に形成された溝部に位置するように支持部が形成されている
請求項２に記載の携帯機器。
【請求項４】
支持部は、当該カバー部材が筐体に取り付けられた状態で、少なくとも溝部の起点および終点に対応する位置に形成されている
請求項３に記載の携帯機器。
【請求項５】
カバー取付部は、溝部内部に所定の突起部が形成されている請求項２から請求項４のうちのいずれか１項に記載の携帯機器。
【請求項６】
溝部は、カバー部材が取り付けられる面に対して反対の方向に押圧可能な弾性部材をカバー取付部に設けられている所定の凹み部に嵌め込むことによって形成され、
前記凹み部は、所定の第１の突起部が形成され、
前記弾性部材は、押圧されていない状態で、前記凹み部に形成された第１の突起部と対向する位置に第２の突起部が形成されている
請求項２から請求項４のうちのいずれか１項に記載の携帯機器。
【請求項７】
溝部は、Ｕ字形状、またはコの字形状の溝である請求項２から請求項６のうちのいずれか１項に記載の携帯機器。
【請求項８】
溝部は、ストラップに取り付けられている紐材の複数本分の深さの溝である請求項２から請求項７のうちのいずれか１項に記載の携帯機器。
【発明の詳細な説明】
【技術分野】
【０００１】
本発明は、携帯機器のストラップ取付構造、およびストラップ取付構造を備えた携帯機器に関する。
【背景技術】
【０００２】
従来、ハンドストラップ等ストラップの取り付け構造の多くは、筐体に取り付け穴を設け、ストラップに環状に取り付けられた細紐を束ねて（細紐２本分）、その取り付け穴の入口から出口へと通すことによってストラップを取り付ける構造であった。
【０００３】
また、例えば、特許文献１には、取り付け作業を容易に行い得ることを目的としたハンドストラップ取り付け構造が記載されている。特許文献１に記載の携帯端末装置は、バッテリー蓋体３４側の側面に切欠部４４が設けられ、また、機器本体３１には、切欠部４４の内方に位置させたストラップ取付部４６が設けられている。ストラップ取付部４６は、機器本体３１の前面側から背面側へ向けて延びる断面円形の棒状体であり、その基端部がリアケース３８に連設している。また、切欠部４４は、バッテリー蓋体３４を閉じた状態において、リアケースの側壁部４３の縁部と協働して矩形の開口部４４Ａを形成する。
【０００４】
【特許文献１】特開２００２−３４４６０７号公報（段落００１８−００２０、図３，４）
【発明の開示】
【発明が解決しようとする課題】
【０００５】
このような束ねた２本分の細紐を筐体に設けられた取り付け穴へ通す構造では、折り畳み型、一体型、スライド型等の携帯機器の形態を問わず、紐を通す手間が非常に面倒であった。また、取り付け穴の開口面積によっては（例えば、開口面積が小さすぎると）、細紐が出口まで完全に届きにくい。このため、ペン先など先端が細い棒状のもので細紐を出口開口部まで引き上げる（誘導する）ことも多々見受けられた。
【０００６】
また、市場では様々なストラップが存在し、それぞれ細紐の直径や材質（堅さ）も多種多様である。例えば、取り付け穴の大きさや長さに対し、細紐の直径が太すぎたり、材質が柔らかすぎる場合には、取り付け穴の出口まで届きにくいことがある。また、このような挿通構造の場合、ストラップを固定するためには、挿通後の細紐を再度ストラップにくぐらせる必要があるため、逆に材質が固すぎる場合には、ストラップを固定しにくいことがある。また、ここ最近では、一箇所のストラップ取り付け部に、複数のストラップを取り付けるユーザも多く、多くのストラップを取り付ける場合には、さらに取り付け穴の出口まで届きにくくなってしまう。
【０００７】
一方、筐体側のハンドストラップ取り付け構造の形状に注目した場合、一般的な２箇所の口を持つ取り付け穴を成形するための金型構造は、通常の金型構造よりも複雑になる。また、図１３に示すストラップ取り付け部９９のように、ストラップ取り付け構造の形状が突起形状となることによって見栄えが悪くなり、外観的な見た目にとってマイナス要素となる。
【０００８】
また、特許文献１に記載の携帯端末機が備えるハンドストラップ取り付け構造では、筐体内部でストラップ紐を引っかける構造にすることによって、容易に取り付けることは可能である。しかしながら、断面円形の棒状体のストラップ取付部４６に紐を引っかけてハンドストラップを保持する構造では、ハンドストラップに加わる力の方向や強さによっては、ストラップを完全には保持しきれない可能性がある。なお、特許文献１には、ストラップ取付部４６からの離脱を防ぐための構造が示されているが、屈曲部６２を設ける構造は複雑であり、また、嵌合する溝をバッテリー蓋体３４に設ける構造の場合には、スライド式に適用できない可能性がある。
【０００９】
そこで、本発明は、様々な特徴のあるストラップをユーザが区別することなく、容易に着脱可能で、かつ、より強固にストラップを保持することが可能なストラップ取付構造、および携帯機器を提供することを目的とする。
【課題を解決するための手段】
【００１０】
本発明による携帯機器のストラップ取付構造は、携帯機器にストラップを取り付けるためのストラップ取付構造であって、携帯機器の筐体に着脱可能に取り付けられるカバー部材（例えば、バッテリーカバー４）を備え、携帯機器の筐体に、当該筐体の少なくとも一端部を含むように、カバー部材を取り付けるためのカバー取付部（例えば、ハンドストラップ取り付け部６）が形成され、カバー取付部は、ストラップに設けられた紐材を嵌め込むための所定の溝部（例えば、Ｕ字溝６−１）が形成され、溝部は、カバー取付部のうち筐体の端部を含む部分を起点として、筐体の端部を含む起点とは異なる他の部分を終点として、起点から終点に至るように形成され、カバー部材は、ストラップに設けられた紐材を溝部にはめ込んだ状態で、カバー取付部に取り付けられていることを特徴とする。
【００１１】
本発明による携帯機器は、筐体に着脱可能に取り付けられるカバー部材（例えば、バッテリーカバー４）と、筐体の少なくとも一端部を含むように、カバー部材を取り付けるためのカバー取付部（例えば、ハンドストラップ取り付け部６）とを備えた携帯機器であって、カバー取付部は、ストラップに設けられた紐材を嵌め込むための所定の溝部（例えば、Ｕ字溝６−１）が形成され、溝部は、カバー取付部のうち筐体の端部を含む部分を起点として、筐体の端部を含む起点とは異なる他の部分を終点として、起点から終点に至るように形成され、カバー部材は、ストラップに設けられた紐材を溝部にはめ込んだ状態で、カバー取付部に取り付けられていることを特徴とする。
【００１２】
また、カバー部材は、筐体に取り付けられた状態で、カバー取付部に形成された溝部に位置するように支持部（例えば、細紐押さえリブ４−４）が形成されていてもよい。
【００１３】
また、支持部は、当該カバー部材が筐体に取り付けられた状態で、少なくとも溝部の起点および終点に対応する位置に形成されていてもよい。
【００１４】
また、カバー取付部は、溝部内部に所定の突起部（例えば、抜け防止突起６−３）が形成されていてもよい。
【００１５】
また、溝部は、カバー部材が取り付けられる面に対して反対の方向に押圧可能な弾性部材（例えば、リリースボタン８）をカバー取付部に設けられている所定の凹み部に嵌め込むことによって形成され、凹み部は、所定の第１の突起部（例えば、抜け防止突起６−４）が形成され、弾性部材は、押圧されていない状態で、凹み部に形成された第１の突起部と対向する位置に第２の突起部（例えば、抜け防止突起８−１）が形成されていてもよい。
【００１６】
また、溝部は、Ｕ字形状、またはコの字形状の溝であってもよい。
【００１７】
また、溝部は、ストラップに取り付けられている紐材の複数本分の深さの溝であってもよい。
【発明の効果】
【００１８】
本発明によれば、特に専用のストラップ取り付け部品を筐体などに組み立てることなく、カバー部材を取り外し、ストラップに取り付けられた紐材を溝部に嵌め込むだけでストラップを固定できるので、容易にストラップの着脱が可能である。また、溝部にストラップの紐材を嵌め込む構成をとることによって、紐材の可動域を小さくすることができるので、より強固にストラップを保持することができる。
【００１９】
また、本発明によれば、溝部の幅や深さを大きくすれば、掛止可能なストラップの数を増やすことができ、従来よりも多くの数のストラップを保持することができる。また、溝部の幅や深さに余裕を持たせておけば、例えば、紐材の直径や材質などによって取り付けが困難になる、といった可能性を少なくすることができ、多種多様なストラップをユーザが特に区別することなく装着することができる。なお、溝部に余裕を持たせたとしても、外観上に与えるデザイン的なインパクトは最小限ですむ。
【発明を実施するための最良の形態】
【００２０】
実施の形態１．
以下、本実施の形態について図面を参照して説明する。図１は、本実施の形態によるハンドストラップの取り付け構造を備えた携帯機器の外観図である。携帯機器は、具体的には、デジタルカメラや携帯型ビデオカメラ、携帯電話機などの機器である。図１（ａ）は、携帯機器を背面（バッテリカバーのある側）から見た正面図である。図１（ｂ）は、携帯機器を背面から見た斜視図である。図１に示すように、携帯端末装置１は、フロント筐体２と、リア筐体３と、バッテリカバー４とを含む。なお、バッテリーカバー４は、携帯端末装置１（本体装置）に着脱自在に構成され、リア筐体３に設けられたバッテリー配置部（図示せず）を覆うように装着される。図１では、携帯端末装置１にハンドストラップ５を取り付ける例を示している。本実施の形態では、ハンドストラップ５を取り付けるために、携帯端末装置１の下方部に、ハンドストラップ取り付け部（α部として図示）が設けられている。なお、ハンドストラップ取り付け部の詳細は、後述する。
【００２１】
図２は、携帯機器の分解斜視図である。また、図３は、バッテリーカバー４を取り外した状態の携帯機器の外観図である。図３（ａ）は、ストラップを装着した状態で携帯機器を背面から見た正面図である。図３（ｂ）は、ストラップを装着した状態で携帯機器を背面から見た斜視図である。図３（ｃ）は、ストラップを装着していない状態で携帯端末を背面から見た正面図である。なお、ハンドストラップ５は、一般的に使用されている、装置取り付け側の環状の細紐５−１と把持（手で握る）用の太紐５−２とで構成される例を用いて説明する。図２および図３に示すように、本実施の形態によるハンドストラップ取り付け部６は、リア筐体３の側壁部に接する位置（図中では下方部）に設けられる。
【００２２】
また、図４は、バッテリーカバー４の斜視図である。図４（ａ）は、バッテリカバー４を表側から見た斜視図である。図４（ｂ）は、バッテリーカバー４を裏側から見た斜視図である。図４に示すように、バッテリーカバー４には、リア筐体３に着脱可能なように、リア筐体３に形成された固定フック引っかけ用の穴（図２における固定フック引っかけ部３−１〜３）に対応する位置に、固定フック４−１〜３（上方部４−１，側面部４−２，下方部４−３）が配置されている。バッテリーカバー４に設けられた固定フック４−１〜３が、リア筐体３に設けられた固定フック引っかけ部３−１〜３にはめ込まれることによって、リア筐体３とバッテリーカバー４とを保持し、リア筐体３に対してバッテリカバー４が脱落する（外れる）ことを防止している。
【００２３】
図５は、ハンドストラップ取り付け部６の分解斜視図である。また、図６は、バッテリカバーを取り付けた状態のハンドストラップ取り付け部の斜視図である。図５および図６に示すように、ハンドストラップ取り付け部６は、リア筐体３の側壁部を含むように、ハンドストラップ５の環状の細紐５−１の端部を収容可能なＵ字溝６−１を形成してなる。なお、リア筐体３の側壁部には、Ｕ字溝６−１にはめ込んだ細紐５−１を外部へ導く切り欠き開口部６−２が２箇所形成されることになる。
【００２４】
なお、Ｕ字溝６−１の形状は必ずしもＵ字形状である必要はなく、環状の細紐５−１の端部を納めた際に、開口部方向の張力に対し細紐５−１を掛止可能な形状であれば、例えば、コ字形状であってもよい。また、ハンドストラップ取り付け部６は、厳密に溝を設けなければならないわけではなく、リア筐体３に設けたＵ字形状の凹みの内部に、Ｕ字形状の凹みに対し細紐５−１の直径以上に小さなＵ字形状の部品を嵌め込むことによってＵ字溝６−１を形成してもよい。以下、Ｕ字溝６−１の内側の部位をハンドストラップ取り付け部（内方）３−１と表現する場合がある。同様に、Ｕ字溝６−１の外側の部位をハンドストラップ取り付け部（外方）３−２と表現する場合がある。
【００２５】
また、本実施の形態では、図４〜図６に示すように、ハンドストラップ５をさらに強固に保持するため、バッテリカバー４には、バッテリカバー４をリア筐体３に装着した状態においてＵ字溝６−１に入り込むように、細紐押さえリブ４−４を設ける。細紐押さえリブ４−４は、ハンドストラップ５の細紐５−１に対する力が外部から加わることを配慮して、少なくとも切り欠き開口部６−２の溝に対応する位置に設けることがより望ましい。なお、携帯端末装置１がバッテリーカバー４をスライドして装着する場合には、スライド方向に平行になるよう少なくともスライド幅分の溝を切り欠き開口部６−２から設け、平行となっている溝に対応する位置に紐押さえリブ４−４を配置すればよい。
【００２６】
次に、ストラップの取り付け方法について説明する。図７は、携帯端末装置１の長手方向に平行の面で切断したハンドストラップ取り付け部６の断面図（図１におけるＡ−Ａ’断面図）である。図７（ａ）は、ハンドストラップを装着した状態のハンドストラップ取り付け部６の断面図である。図７（ｂ）は、ハンドストラップを装着した状態のハンドストラップ取り付け部６（ｂ部）の部分断面図である。図７（ｃ）は、ハンドストラップを複数装着した状態のハンドストラップ取り付け部６（ｂ部）の部分断面図である。まず、ハンドストラップ５を携帯端末装置１に装着するには、バッテリーカバー４が携帯端末装置１（本体装置）から外れた状態でなければならない。ユーザは、この状態から、ハンドストラップ５の細紐５−１を、リア筐体３に設けられたハンドストラップ取り付け部６のＵ字溝６−１に落とし込む（嵌め込む）。この状態で、バッテリーカバー４を本体装置に取り付ければ完了である。なお、ハンドストラップを取り外す場合の動作は、この動作を逆に行えばよい。図７（ｃ）に示すように、Ｕ字溝６−１の深さを深くすることで複数のストラップを掛止（引っ掛けて止める）できる。
【００２７】
バッテリーカバー４がリア筐体３に装着された状態において、バッテリーカバー４がハンドストラップ取り付け部６を覆う状態にあるため、ハンドストラップ５の細紐５−１は、Ｕ字溝６−１から飛び出す（外れる）ことはない。本来、バッテリカバーは落下衝突によるバッテリー脱落を防止するために機能するものであるが、本実施の形態では、ハンドストラップ５の脱着防止用のカバー蓋としても機能する。
【００２８】
仮に、ハンドストラップ５に対し、細紐５−１がＵ字溝６−１から抜け出す方向（リア筐体側）に強い力が加わったとしても、バッテリーカバー４の固定フック（下方部４−３）と、リア筐体３の固定フック引っかけ部（下方部３−３）とが嵌め合わされている限りは、ハンドストラップ５はＵ字溝６−１から外れることはない。
【００２９】
なお、細紐５−１がＵ字溝６−１から抜け出す力にも耐えられることを配慮し、固定フックの一部は、ハンドストラップ取り付け部６の両側に配置されることがより望ましい。
【００３０】
なお、バッテリカバー４は、Ｕ字溝６−１の全てを覆うことが望ましい。例えば、バッテリカバー４が山なりの形状で、リア筐体３の側壁部としか接しない場合には、図７に示すように、ハンドストラップ取り付け部（内方）３−１およびハンドストラップ取り付け部（外方）３−２の高さをバッテリカバー４に合わせて高くすればよい。また、Ｕ字溝６−１の全てを覆わなくても、例えば、細紐押さえリブ４−４をＵ字溝６−１の開口部と中央部の計３箇所に対応する位置に設ける等、細紐押さえリブ４−４の数と位置とを調整することによって、蓋の役割を十分果たすことができる。
【００３１】
以上のように、本実施の形態によれば、特に専用のハンドストラップ取り付け部品を筐体などに組み立てることなく、バッテリーカバーを取り外し、ハンドストラップをＵ字溝６−１に嵌め込むだけで、ハンドストラップを容易に着脱可能である。また、特許文献１に記載されているような、突起形状とキャップとを密接させて紐を引っかける構造に比べて、本発明では、Ｕ字溝６−１に紐を嵌め込むことで紐の可動域を小さくすることができる。従って、より強固に紐を保持することができる。また、開口部近辺に細紐押さえリブ４−４を設けることによって開口部における紐の可動域をさらに小さくすることができるので、ハンドストラップ５の振動等開口部に対する外部からの力に対して、さらに強固に紐を保持することができる。
【００３２】
また、外観的には、ハンドストラップ取り付け構造の大部分がバッテリーカバーで覆われているため、デザイン的なインパクト（外観に露出する溝や穴）を最小限にすることができる。なお、露出する穴を細紐１本分にすることもでき、従来のデザイン的インパクトに比べ、より優れた外観を保つことができる。
【００３３】
一方、Ｕ字溝６−１の深さに応じて、掛止可能なストラップの数を増やすことができ、従来よりも多くのハンドストラップを装着することが可能となる。なお、複数のハンドストラップを掛止したとしても確実に保持することができ、また、本数が増えることで取り付け方法が困難になることもない。
【００３４】
実施の形態２．
以下、本発明の第２の実施の形態について図面を参照して説明する。本発明の第２の実施の形態は、第１の実施の形態におけるハンドストラップ取り付け部６に、さらに抜け防止突起６−３を設ける。図８は、バッテリーカバー４を取り外した状態の第２の実施の形態による携帯機器の外観図である。また、図９は、携帯端末装置１の長手方向に垂直の面で切断したハンドストラップ取り付け部６の部分断面図（図７と同様Ａ−Ａ’断面図）である。本実施の形態において、抜け防止突起６−３は、図８および図９に示すように、Ｕ字形状の略中央部で、Ｕ字溝６−１の内方の側壁（すなわち、ハンドストラップ取り付け部（内方）３−１の側壁）のカバー側端部に突起を設けてなる。なお、抜け防止突起６−３の突起量は、ハンドストラップ５の細紐５−１の直径よりもＵ字溝６−１の幅が一回り程小さくなるような突起量とする。
【００３５】
このため、細紐５−１を着脱の際には、若干細紐を潰し気味で圧入（圧力を加えて押し込むこと）することになる。しかし、本実施の形態によれば、バッテリカバー４が装着されていない状態であっても細紐５−１が簡単にはＵ字溝６−１から外れなくなり、特に複数本のストラップを装しているユーザの使い勝手は向上することが予測できる。なお、抜け防止突起６−３は、Ｕ字溝６−１のＵ字形状の略中央部に限らず、略中央部以外や、または複数設けてもよい。例えば、Ｕ字形状の開口部からカーブにさしかかる位置２箇所に設けることも考えられる。
【００３６】
また、抜け防止突起６−３を設けたことにより、細紐５−１を最初にＵ字溝６−１に嵌め込むときに、抜け防止突起６−３に引っかかってはめにくくなることが考えられる。そのような場合には、例えば、リア筐体３の内側からハンドストラップ取り付け部（内方）３−１を固定するような取り付け部ガイド７を設けることによって、Ｕ字溝６−１の底面面積が広くなるようにしてもよい。取り付け部ガイド７によって、ハンドストラップ取り付け部（内方）３−１の位置を調整することによって、Ｕ字溝６−１の底面面積を確保することができる。
【００３７】
実施の形態３．
以下、本発明の第３の実施の形態について図面を参照して説明する。図１０は、第３の実施の形態による携帯機器の外観図、および携帯機器の長手方向に平行の面で切断したハンドストラップ取り付け部６の部分断面図である。図１０（ａ）は、バッテリカバー４を取り外した状態の携帯端末装置１の外観図である。図１０（ｂ）は、バッテリカバー４を装着した状態の携帯端末装置１の外観図である。図１０（ｃ）は、携帯端末装置１の長手方向に平行の面で切断したハンドストラップ取り付け部６の部分断面図（図１０（ｂ）におけるＢ−Ｂ’断面図）である。また、図１１は、携帯端末装置１の長手方向に垂直の面で切断したハンドストラップ取り付け部６の部分断面図（図１０（ｂ）におけるＣ−Ｃ’断面図）である。
【００３８】
本発明の第３の実施の形態は、図１０および図１１に示すように、基本的には第２の実施の形態におけるハンドストラップ取り付け部６に対して、細紐５−１の抜け防止突起８−１を具備したリリースボタン８が配置される構成である。なお、本実施の形態におけるリリースボタン８は、第１の実施の形態において説明したハンドストラップ取り付け部（内方）３−１を兼ねる。従って、抜け防止突起８−１は、第２の実施の形態において説明した抜け防止突起６−３を兼ねる。
【００３９】
リリースボタン８は、例えば、板バネ９のような弾力性部材（スプリング部材）を用いて、前面側−背面側方向（図１０における矢印方向）に一定量の上下運動が可能な機構となっている。なお、リリースボタン８は、バッテリーカバー４の着脱機構として、リリースボタン８を押下することによってバッテリーカバー４を着脱可能とし、装着状態ではリリースボタン８を押下しない限りバッテリカバー４が取り外せない構造（スライド抜け防止）になっている。図１１に示すように、リリースボタン８には、リリースボタンの裏面に板バネ９を固定するための固定部（かしめ部）８−２が設けられる。板バネ９の肩端が、固定部（かしめ部）８−２によってリリースボタン８の裏面に熱溶着、接着などで固定（かしめ）される。なお、板バネ９のもう肩端は、リア筐体３に同様に固定（かしめ）される。板バネ９は、当然に、リリースボタン８の押下荷重（調節）によって複数設けたり、または板バネをリリースボタンと一体に形成したり、バネ種をスプリングバネなどにしてもよい。
【００４０】
本実施の形態では、このリリースボタン９を利用して、バッテリーカバー４が未装着時にハンドストラップ５を着脱する。既に説明したように、リリースボタン８は、第１の実施の形態において説明したハンドストラップ取り付け部（内方）３−１を兼ねている。従って、抜け防止突起８−１は、第２の実施の形態において説明した抜け防止突起６−３と同様の機能を有する。さらに、本実施の形態では、ハンドストラップ取り付け部（外方）３−１にも、抜け防止突起６−４を設ける。つまり、リリースボタン８に設けられた抜け防止突起８−１とハンドストラップ取り付け部（外方）３−２に設けられた抜け防止突起６−５とが協働して、細紐５−１の抜けを防止する。
【００４１】
つまり、本実施の形態では、バッテリカバー４が装着された時（すなわち、リリースボタン７未押下時）のリリースボタン８の位置関係において、抜け防止突起６−４の下方で、抜け防止突起６−４と抜け防止突起８−１とが接するよう配置する。また、本実施の形態では、抜け防止突起８−１の突起量を、Ｕ字溝６−１の幅が細紐５−１の直径よりも一回り小さくなるように設定するのではなく、Ｕ字溝６−１の幅が細紐５−１の直径よりも大きくなるように設定する。なお、抜け防止突起６−４についても同様である。
【００４２】
次に、本実施の形態におけるストラップの取り付け方法について説明する。図１２は、第３の実施の形態におけるハンドストラップ取り付け部６に取り付ける際のストラップ細紐の着脱動作を示す説明図である。本実施の形態においても、基本的な着脱動作は、第１の実施の形態と同様である。
【００４３】
さらに詳しく説明すると、本実施の形態では、図１２に示すように、バッテリカバー４が本体装置から外れた状態において、ユーザは、まず、リリースボタン８側の抜け防止突起８−１に細紐５−１を押し当てる（１）。この時点では、リリースボタン８が未押下の状態により、抜け防止突起８−１と抜け防止突起６−４とが接している状態であるとする。次に、リリースボタン８を押下し、抜け防止突起８−１と抜け防止突起６−４との間にできた隙間から、細紐５−１をＵ字溝６−１に落とし込む（２）。なお、抜け防止突起８−１に傾斜を設け、細紐５−１を通しやすい形状にしてもよい。図１２（３）は、更にリリースボタン８を押下し、細紐５−１が完全にＵ字溝６−１に収まった状態のリリースボタン８の位置関係を示している。
【００４４】
この状態において、ユーザがリリースボタン８から指を離すと、リリースボタン８は、板バネ９の張力により元の位置に戻り、抜け防止突起８−１が再び抜け防止突起６−４と接することによって、Ｕ字溝６−１には部分的であれ、蓋が被さった状態になる（４）。
【００４５】
以上のように、本実施の形態によれば、バッテリーカバー４のスライド防止用のリリースボタン８等を利用することによって、着脱時に細紐５−１を圧入出しなくても、第２の実施の形態と同様の効果を得ることができる。すなわち、容易な着脱動作を確保しつつ、バッテリカバー４が取り外されている状態でも細紐５−１を外れなくすることができる。
【００４６】
また、本実施の形態のように、リリースボタン８の上下運動を利用して、抜け防止突起による蓋が形成されることで、バッテリカバー４がＵ字溝６−１全てを覆わなくても、確実にハンドストラップを保持することができる。なお、着脱動作の容易性を考慮すると、中央部付近に抜け防止突起８−１，６−４による蓋を設け、開口部付近にバッテリカバー４の紐押さえリブ４−４による蓋を設ける等、バッテリカバーと組み合わせて用いる方がより好ましいといえる。
【００４７】
なお、本発明では、携帯端末装置１内部に設けたＵ字溝６−１にハンドストラップを取り付けるため、Ｕ字溝６−１の深さや幅に余裕を持たせれば、例えば、細紐の直径や材質、本数などによって取り付けが困難になる、といった可能性を少なくすることができる。なお、Ｕ字溝６−１に余裕を持たせたとしても、外観上に与えるデザイン的なインパクトは最小限ですむ。
【産業上の利用可能性】
【００４８】
本発明は、ハンドストラップを取り付ける携帯端末装置であれば、例えば、携帯電話機、カメラ装置、ビデオカメラ装置、無線機、携帯型メモリ等、ユーザが持ち運ぶ電子装置に好適に適用可能である。
【図面の簡単な説明】
【００４９】
【図１】本実施の形態によるハンドストラップの取り付け構造を備えた携帯機器の外観図である。
【図２】携帯機器の分解斜視図である。
【図３】バッテリーカバー４を取り外した状態の携帯機器の外観図である。
【図４】バッテリーカバー４の斜視図である。
【図５】ハンドストラップ取り付け部６の分解斜視図である。
【図６】バッテリカバーを取り付けた状態のハンドストラップ取り付け部の斜視図である。
【図７】携帯端末装置１の長手方向に平行の面で切断したハンドストラップ取り付け部６の断面図（Ａ−Ａ’断面図）である。。
【図８】バッテリーカバー４を取り外した状態の第２の実施の形態による携帯機器の外観図である。
【図９】携帯端末装置１の長手方向に垂直の面で切断したハンドストラップ取り付け部６の部分断面図（Ａ−Ａ’断面図）である。
【図１０】第３の実施の形態による携帯機器の外観図、および携帯機器の長手方向に平行の面で切断したハンドストラップ取り付け部６の断面図である。
【図１１】携帯端末装置１の長手方向に垂直の面で切断したハンドストラップ取り付け部６の部分断面図（Ｃ−Ｃ’断面図）である。
【図１２】第３の実施の形態におけるハンドストラップ取り付け部６に取り付ける際のストラップ細紐の着脱動作を示す説明図である。
【図１３】従来のハンドストラップ取り付け部の外観を示す説明図である。
【符号の説明】
【００５０】
１  携帯端末装置（本体装置）
２  フロント筐体
３  リア筐体
３−１  ハンドストラップ取り付け部（内方）
３−２  ハンドストラップ取り付け部（外方）
４  バッテリーカバー
４−４  細紐押さえリブ
５  ハンドストラップ
５−１  細紐（装置取り付け側）
５−２  太紐（ストラップ本体）
６  ハンドストラップ取り付け部
６−１  Ｕ字溝
６−２  切り欠け開口部
６−３、６−４  抜け防止突起
７  取り付けガイド
８  リリースボタン
８−１  抜け防止突起
９  板バネ
【図１】
2008028913.tif 000003
【図２】
2008028913.tif 000004
【図３】
2008028913.tif 000005
【図４】
2008028913.tif 000006
【図５】
2008028913.tif 000007
【図６】
2008028913.tif 000008
【図７】
2008028913.tif 000009
【図８】
2008028913.tif 000010
【図９】
2008028913.tif 000011
【図１０】
2008028913.tif 000012
【図１１】
2008028913.tif 000013
【図１２】
2008028913.tif 000014
【図１３】
2008028913.tif 000015